(57)【要約】【課題】軸方向寸法及び径方向寸法の大型化を回避した自動変速機を提供する。【解決手段】変速機１の一端部に第１〜第３クラッチ３１〜３３を外周側から内周側にこの順に径方向に重ねて配置する。第１〜第３クラッチ３１〜３３のピストン３１ｐ〜３３ｐを支持する共用回転部材５を第１〜第３クラッチ３１〜３３よりも軸方向の一端側に配置し、変速機ケース２の軸方向の一端側の側壁２ｅで支持する。第１クラッチ３１の外周側で軸方向に延びる第１回転部材８１の軸方向延設部は、第１〜第３クラッチ３１〜３３の軸方向の他端側で径方向に延びる第１回転部材８１の径方向延設部と共用回転部材５とを連結し、かつ第１クラッチ３１の第１回転部材８１側の摩擦板を保持する。共用回転部材５に設けられた共通部材８は、第２クラッチ３２の第１回転部材８１側の摩擦板と第３クラッチ３３の第１回転部材８１側の摩擦板とを保持する。【選択図】図４
2015214989.tif 000002
【特許請求の範囲】
【請求項１】
同一軸心上に複数のクラッチが径方向に重ねて配置された自動変速機であって、
所定のプラネタリギヤセットの所定の回転要素に連結された第１回転部材と、
他のプラネタリギヤセットの所定の回転要素にそれぞれ連結された第２〜第４回転部材と、
自動変速機の一端部に配置され、上記第１回転部材と第２回転部材との接続状態を切り換える第１クラッチと、
上記第１クラッチの内周側に径方向に重ねて配置され、上記第１回転部材と第３回転部材との接続状態を切り換える第２クラッチと、
上記第２クラッチの内周側に径方向に重ねて配置され、上記第１回転部材と第４回転部材との接続状態を切り換える第３クラッチと、
上記第１〜第３クラッチよりも軸方向の一端側に配置され、上記第１〜第３クラッチのピストンを支持し、変速機ケースの軸方向の一端側の側壁で支持される共用回転部材とを備え、
上記第１回転部材は、上記第１〜第３クラッチの軸方向の他端側で径方向に延びる径方向延設部と、上記第１クラッチの外周側で軸方向に延び、上記径方向延設部の外周部と上記共用回転部材の外周部とを連結し、上記第１クラッチの第１回転部材側の摩擦板を内周側で保持する軸方向延設部とを有し、
上記共用回転部材には、上記第２クラッチの第１回転部材側の摩擦板を外周側で保持すると共に上記第３クラッチの第１回転部材側の摩擦板を内周側で保持する共通部材が設けられていることを特徴とする自動変速機。
【請求項２】
請求項１に記載の自動変速機において、
上記第１〜第３クラッチのピストンが軸方向視で相互に重複せずかつ軸心と直交する同一平面上で径方向に並ぶように配置されていることを特徴とする自動変速機。
【請求項３】
請求項２に記載の自動変速機において、
上記第１〜第３クラッチのピストンを挟んで作動油圧室と対向する遠心バランス室が軸方向視で相互に重複せずかつ軸心と直交する同一平面上で径方向に並ぶように配置されていることを特徴とする自動変速機。
【請求項４】
請求項２又は３に記載の自動変速機において、
上記第１〜第３クラッチの摩擦板が軸方向視で相互に重複せずかつ軸心と直交する同一平面上で径方向に並ぶように配置されていることを特徴とする自動変速機。
【発明の詳細な説明】
【技術分野】
【０００１】
本発明は、自動変速機、特に、多段化が図られた自動変速機に関する。
【背景技術】
【０００２】
自動車等の車両に搭載される自動変速機は、プラネタリギヤセット（遊星歯車機構）と複数の摩擦締結要素とを備え、摩擦締結要素を選択的に締結することによって複数の変速段が達成される。近年、燃費性能向上等のため、変速機の多段化が図られている。例えば特許文献１には、４つのプラネタリギヤセットと３つのクラッチと２つのブレーキとを備えて前進８段が達成される自動変速機が開示されている。
【０００３】
プラネタリギヤセットは入力軸上に配置される。そのため、多段化に伴いプラネタリギヤセットの数が増えると変速機の軸方向の寸法（軸長）が長くなる。これは変速機の車両への搭載性を悪くする。
【０００４】
そこで、特許文献２に開示されるように、同一軸心上に２つのクラッチを径方向に重ねて配置することが提案される。こうすれば、全てのクラッチを軸方向に並べて配置する場合と比べて変速機の軸長が短くなる。
【先行技術文献】
【特許文献】
【０００５】
【特許文献１】ＷＯ２０１３／１１７３６９（図１〜５）
【特許文献２】特開２０１０−４８３１８号公報（図３）
【発明の概要】
【発明が解決しようとする課題】
【０００６】
しかし、次のような変速機では、２つのクラッチを径方向に重ねて配置してもなお軸方向寸法が大型化するという不具合がある。すなわち、自動変速機の一端部に第１クラッチと第２クラッチとをそれぞれ外周側と内周側とに位置するように径方向に重ねて配置する。第１クラッチで、所定のプラネタリギヤセットの所定の回転要素に連結された第１回転部材と、他のプラネタリギヤセットの所定の回転要素に連結された第２回転部材との接続状態を切り換える。第２クラッチで、上記第１回転部材と、他のプラネタリギヤセットの所定の回転要素に連結された第３回転部材との接続状態を切り換える。この場合のレイアウトとして、次のようなものが考えられる。
【０００７】
第１回転部材を第１・第２クラッチの軸方向の他端側で第１クラッチ及び第２クラッチに向けて径方向外周側に延設し、第１クラッチ及び第２クラッチに回転を入力させる。第２回転部材を第１・第２クラッチの軸方向の一端側で第１クラッチに向けて径方向外周側に延設し、第１クラッチに回転を入力させる。第３回転部材を第１・第２クラッチの軸方向の一端側で第２クラッチに向けて径方向外周側に延設し、第２クラッチに回転を入力させる。上記第１回転部材の径方向外周側への延設部分に第１・第２クラッチのピストンを支持させる。
【０００８】
この場合、上記第１回転部材の径方向外周側への延設部分は、軸心近傍から外周側の第１クラッチまで延びるので、比較的大径であるうえ、第１・第２クラッチのピストンを支持して重量物であるため、上記延設部分の支持が不安定となって傾きやすい。そこで、変速機ケースの軸方向中間部に中間壁を形成し、この中間壁で上記延設部分（ピストンを支持する大径の部分）を支持する必要がある。そのため、この中間壁が変速機の軸長短縮を阻害し、自動変速機の軸方向寸法が十分には短縮できないという不具合がある。
【０００９】
この問題に対しては、第１・第２クラッチで共用される共用回転部材に第１・第２クラッチのピストンを支持させ、上記共用回転部材を第１・第２クラッチよりも軸方向の一端側に配置して変速機ケースの軸方向の一端側の側壁で支持することにより、上記中間壁の形成を不要とすることができる。ところが、例えば変速機のさらなる軸長短縮の要求から、クラッチが２つではなく３つのクラッチを３段に重ねて配置する場合は、軸方向だけでなく径方向の寸法拡大も抑制する必要がある。
【００１０】
本発明は、自動変速機における上記のような不具合に対処するもので、複数のクラッチを自動変速機の一端部で径方向に重ねて配置することにより軸方向にコンパクトにレイアウトして変速機の軸方向寸法の大型化を回避しつつ多段化を可能とし、さらに、径方向にもコンパクトにレイアウトして変速機の径方向寸法の大型化も抑制された自動変速機の提供を目的とする。
【課題を解決するための手段】
【００１１】
上記課題を解決するためのものとして、本発明は、同一軸心上に複数のクラッチが径方向に重ねて配置された自動変速機であって、所定のプラネタリギヤセットの所定の回転要素に連結された第１回転部材と、他のプラネタリギヤセットの所定の回転要素にそれぞれ連結された第２〜第４回転部材と、自動変速機の一端部に配置され、上記第１回転部材と第２回転部材との接続状態を切り換える第１クラッチと、上記第１クラッチの内周側に径方向に重ねて配置され、上記第１回転部材と第３回転部材との接続状態を切り換える第２クラッチと、上記第２クラッチの内周側に径方向に重ねて配置され、上記第１回転部材と第４回転部材との接続状態を切り換える第３クラッチと、上記第１〜第３クラッチよりも軸方向の一端側に配置され、上記第１〜第３クラッチのピストンを支持し、変速機ケースの軸方向の一端側の側壁で支持される共用回転部材とを備え、上記第１回転部材は、上記第１〜第３クラッチの軸方向の他端側で径方向に延びる径方向延設部と、上記第１クラッチの外周側で軸方向に延び、上記径方向延設部の外周部と上記共用回転部材の外周部とを連結し、上記第１クラッチの第１回転部材側の摩擦板を内周側で保持する軸方向延設部とを有し、上記共用回転部材には、上記第２クラッチの第１回転部材側の摩擦板を外周側で保持すると共に上記第３クラッチの第１回転部材側の摩擦板を内周側で保持する共通部材が設けられていることを特徴とする。
【００１２】
本発明によれば、第１〜第３クラッチよりも軸方向の一端側に配置された共用回転部材に第１〜第３クラッチのピストンを支持させ、上記共用回転部材を変速機ケースの既存の側壁で支持するので、例えば上記共用回転部材を支持するために別途中間壁を変速機ケースに形成したりせずに済み、変速機の軸方向寸法の拡大が回避される。
【００１３】
その上で、本発明では、３つのクラッチのうちの内周側の２つのクラッチ、すなわち、第２クラッチの第１回転部材側の摩擦板を保持するドラム部材と第３クラッチの第１回転部材側の摩擦板を保持するドラム部材とを単一の共通部材に一体化しているので、各クラッチのドラム部材をそれぞれ別体とする場合と比べて変速機の径方向寸法が短縮する。さらに、本発明では、第１回転部材の径方向延設部と上記共用回転部材とを連結する第１回転部材の軸方向延設部が第１クラッチの第１回転部材側の摩擦板を保持するドラム部材を兼ねるので、これによっても変速機の径方向寸法の短縮化が図られる。要すれば、本発明では、径方向に重ねて配置される複数のドラム部材を他の部材と融合させることにより変速機の径方向寸法の大型化を抑制している。
【００１４】
これに対し、３つのクラッチのうちの外周側の２つのクラッチ、すなわち、第１クラッチの第１回転部材側の摩擦板を保持するドラム部材と第２クラッチの第１回転部材側の摩擦板を保持するドラム部材とを一体化したときは、残りの第３クラッチの第１回転部材側の摩擦板を保持するドラム部材が別途単独で必要となり、変速機の径方向寸法が十分には短縮できないという不具合がある。
【００１５】
以上により、複数のクラッチを自動変速機の一端部で径方向に重ねて配置することにより軸方向にコンパクトにレイアウトして変速機の軸方向寸法の大型化を回避しつつ多段化を可能とし、さらに、径方向にもコンパクトにレイアウトして変速機の径方向寸法の大型化も抑制された自動変速機が提供される。
【００１６】
本発明においては、好ましくは、上記第１〜第３クラッチのピストンが軸方向視で相互に重複せずかつ軸心と直交する同一平面上で径方向に並ぶように配置されている。
【００１７】
この構成によれば、第１〜第３クラッチのピストンが相互に径方向に離間しかつ軸心と直交する同一平面上で径方向に並ぶように配置されているので、上記ピストンは軸方向に並べて配置された状態とならない。したがって、第１〜第３クラッチをピストンを含めて軸方向にコンパクトにレイアウトできる。
【００１８】
本発明においては、好ましくは、上記第１〜第３クラッチのピストンを挟んで作動油圧室と対向する遠心バランス室が軸方向視で相互に重複せずかつ軸心と直交する同一平面上で径方向に並ぶように配置されている。
【００１９】
この構成によれば、第１〜第３クラッチの遠心バランス室が相互に径方向に離間しかつ軸心と直交する同一平面上で径方向に並ぶように配置されているので、上記遠心バランス室は軸方向に並べて配置された状態とならない。したがって、第１〜第３クラッチを遠心バランス室を含めて軸方向にコンパクトにレイアウトできる。
【００２０】
本発明においては、好ましくは、上記第１〜第３クラッチの摩擦板が軸方向視で相互に重複せずかつ軸心と直交する同一平面上で径方向に並ぶように配置されている。
【００２１】
この構成によれば、第１〜第３クラッチの摩擦板が相互に径方向に離間しかつ軸心と直交する同一平面上で径方向に並ぶように配置されているので、上記摩擦板は軸方向に並べて配置された状態とならない。したがって、第１〜第３クラッチを摩擦板を含めて軸方向にコンパクトにレイアウトできる。
【発明の効果】
【００２２】
以上のように、本発明は、複数のクラッチを自動変速機の一端部で径方向に重ねて配置することにより軸方向にコンパクトにレイアウトして変速機の軸方向寸法の大型化を回避しつつ多段化を可能とし、さらに、径方向にもコンパクトにレイアウトして変速機の径方向寸法の大型化も抑制された自動変速機を提供するので、特に、多段化が図られた自動変速機の技術の発展・向上に寄与する。
【図面の簡単な説明】
【００２３】
【図１】本発明の実施形態に係る自動変速機の骨子図である。
【図２】上記自動変速機の摩擦締結要素の締結表である。
【図３】上記自動変速機に備えられた共用回転部材を図１の矢印Ａ方向から見た図である。
【図４】図３の矢印ＩＶに沿う上記自動変速機の反エンジン側端部の断面図である。
【図５】図３の矢印Ｖに沿う上記自動変速機の反エンジン側端部の断面図である。
【図６】図３の矢印ＶＩに沿う上記自動変速機の反エンジン側端部の断面図である。
【図７】図３の中央部の拡大図である。
【図８】上記自動変速機に備えられた共通部材を図１の矢印Ａ方向から見た図である。
【図９】図５の要部拡大図である。
【図１０】図６の要部拡大図である。
【図１１】上記自動変速機の作用の説明図であって、（ａ）は実施例、（ｂ）は比較例である。
【図１２】参考例に係る自動変速機の骨子図である。
【図１３】上記参考例に係る自動変速機の作用の説明図であって、（ａ）は第１例、（ｂ）は第２例である。
【発明を実施するための形態】
【００２４】
以下、図面に基き本発明の実施形態を説明する。
【００２５】
（１）全体構成
図１は、本実施形態に係る自動変速機１の構成を示す骨子図である。自動変速機１は、変速機ケース２内に、相互に同一軸心上に配置された、エンジン側から延びる入力軸３と、出力ギヤ４と、第１〜第４の４つのプラネタリギヤセット（以下「ＰＧＳ」と表記する）１１〜１４と、第１・第２の２つのブレーキ２１，２２と、第１〜第３の３つのクラッチ３１〜３３とを備える。本実施形態では、反エンジン側が軸方向の一端側、エンジン側が軸方向の他端側である。
【００２６】
変速機ケース２は、外周壁２ａと、外周壁２ａのエンジン側端部に設けられた第１中間壁２ｂと、第１中間壁２ｂの反エンジン側に設けられた第２中間壁２ｃと、外周壁２ａの軸方向中間部に設けられた第３中間壁２ｄと、外周壁２ａの反エンジン側端部に設けられた側壁２ｅと、側壁２ｅの中央部からエンジン側に延設されたボス部２ｆと、第２中間壁２ｃの内周側端部から反エンジン側に延設された円筒部２ｇとを有する。
【００２７】
４つのＰＧＳ１１〜１４は、エンジン側から、第１ＰＧＳ１１、相互に径方向に重ねて配置された内周側の第２ＰＧＳ１２及び外周側の第３ＰＧＳ１３、第４ＰＧＳ１４の順に備えられている。４つのＰＧＳ１１〜１４は、いずれも、キャリヤ１１ｃ〜１４ｃに支持されたピニオン（図示せず）がサンギヤ１１ｓ〜１４ｓとリングギヤ１１ｒ〜１４ｒとに直接噛合するシングルピニオン型である。
【００２８】
２段に重ねて配置された第２ＰＧＳ１２のリングギヤ１２ｒ及び第３ＰＧＳ１３のサンギヤ１３ｓが溶接や焼嵌め等により一体化されて（一体回転要素７）常時連結されている。第１ＰＧＳ１１のサンギヤ１１ｓ及び第２ＰＧＳ１２のサンギヤ１２ｓ、第１ＰＧＳ１１のリングギヤ１１ｒ及び第４ＰＧＳ１４のキャリヤ１４ｃ、第１ＰＧＳ１１のキャリヤ１１ｃ及び第３ＰＧＳ１３のキャリヤ１３ｃがそれぞれ常時連結されている。入力軸３が第２ＰＧＳ１２のキャリヤ１２ｃに、出力ギヤ４が第１ＰＧＳ１１のキャリヤ１１ｃ及び第３ＰＧＳ１３のキャリヤ１３ｃにそれぞれ常時連結されている。出力ギヤ４はベアリング６を介して変速機ケース２の円筒部２ｇに回転自在に支持されている。
【００２９】
第４ＰＧＳ１４のサンギヤ１４ｓに第１回転部材８１が連結され、反エンジン側に延設されている。第３ＰＧＳ１３のリングギヤ１３ｒに第２回転部材８２が連結され、反エンジン側に延設されている。一体回転要素７に第３回転部材８３が連結され、反エンジン側に延設されている。第２ＰＧＳ１２のキャリヤ１２ｃに入力軸３を介して第４回転部材８４が連結されている。
【００３０】
２つのブレーキ２１，２２のうち、第１ブレーキ２１は変速機ケース２の第１中間壁２ｂに配設され、第２ブレーキ２２は第３中間壁２ｄに配設されている。第１・第２ブレーキ２１，２２は、それぞれ、シリンダ２１ｉ，２２ｉと、シリンダ２１ｉ，２２ｉに嵌合されたピストン２１ｐ，２２ｐと、シリンダ２１ｉ，２２ｉ及びピストン２１ｐ，２２ｐで画成される作動油圧室２１ａ，２２ａとを有し、作動油圧室２１ａ，２２ａに油圧が供給されたときに摩擦板が締結され、第１ブレーキ２１は第１ＰＧＳ１１のサンギヤ１１ｓ及び第２ＰＧＳ１２のサンギヤ１２ｓを変速機ケース２に固定し、第２ブレーキ２２は第４ＰＧＳ１４のリングギヤ１４ｒを変速機ケース２に固定する。
【００３１】
３つのクラッチ３１〜３３は、変速機ケース２内の反エンジン側端部（すなわち自動変速機１の一端部）に配設されている。３つのクラッチ３１〜３３は、軸方向の同じ位置で、第１クラッチ３１の内周側に第２クラッチ３２が位置し、第２クラッチ３２の内周側に第３クラッチ３３が位置するように、相互に径方向に重ねて配置されている。
【００３２】
第１クラッチ３１は、第４ＰＧＳ１４のサンギヤ１４ｓと、第３ＰＧＳ１３のリングギヤ１３ｒとを断接する。言い換えると、上記サンギヤ１４ｓに連結された第１回転部材８１と、上記リングギヤ１３ｒに連結された第２回転部材８２との接続状態を切り換える。
【００３３】
第２クラッチ３２は、第４ＰＧＳ１４のサンギヤ１４ｓと、一体回転要素７（すなわち第２ＰＧＳ１２のリングギヤ１２ｒ及び第３ＰＧＳ１３のサンギヤ１３ｓ）とを断接する。言い換えると、上記サンギヤ１４ｓに連結された第１回転部材８１と、上記一体回転要素７に連結された第３回転部材８３との接続状態を切り換える。
【００３４】
第３クラッチ３３は、第４ＰＧＳ１４のサンギヤ１４ｓと、入力軸３及び第２ＰＧＳ１２のキャリヤ１２ｃとを断接する。言い換えると、上記サンギヤ１４ｓに連結された第１回転部材８１と、入力軸３を介して上記キャリヤ１２ｃに連結された第４回転部材８４との接続状態を切り換える。
【００３５】
その場合に、第１回転部材８１は、第１クラッチ３１で第２回転部材８２との接続状態が切り換えられ、第２クラッチ３２で第３回転部材８３との接続状態が切り換えられ、第３クラッチ３３で第４回転部材８４との接続状態が切り換えられる。つまり、第１回転部材８１は、各クラッチ３１〜３３が接続状態を切り換える２つの回転部材のうちの共通する一方の回転部材である。そのため、第１〜第３クラッチ３１〜３３よりも反エンジン側に、変速機ケース２の反エンジン側の側壁２ｅに近接して、軸心と直交する壁部を有する共用回転部材５を配置し、この共用回転部材５に第１回転部材８１を連結している。共用回転部材５は３つのクラッチ３１〜３３で共用されるものであり、各クラッチ３１〜３３のシリンダ、ピストン、作動油圧室、作動油圧通路、遠心バランス室、遠心バランス室構成部材等が共用回転部材５に形成され又は支持される。
【００３６】
以上のように、この自動変速機１は、４つのＰＧＳ１１〜１４と、２つのブレーキ２１，２２と、３つのクラッチ３１〜３３とを備え、図２の締結表に示すように、５つの摩擦締結要素から３つの摩擦締結要素を選択的に締結（○印）することにより、前進１〜８速と後退速とが達成される。図２において、ＣＬ１〜ＣＬ３は第１〜第３クラッチ３１〜３３を示し、ＢＲ１，ＢＲ２は第１・第２ブレーキ２１，２２を示す。
【００３７】
（２）特徴的構成
以下、図３〜図１０を参照して本実施形態の特徴部分を説明する。図３は、上記共用回転部材５を図１の矢印Ａ方向から見た図、図４〜図６は、それぞれ図３の矢印ＩＶ，Ｖ，ＶＩに沿う上記自動変速機１の反エンジン側端部の断面図、図７は、図３の中央部の拡大図、図８は、上記自動変速機１に備えられた共通部材８を図１の矢印Ａ方向から見た図、図９・図１０は、それぞれ図５・図６の要部拡大図である。
【００３８】
共用回転部材５は、図３に示すように、円環状の壁部５ｘを有する。壁部５ｘの内周部（中央の円形開口の縁部）に、図４に示すように、外側円筒部５ｄと内側円筒部５ｅとが形成されている。外側円筒部５ｄは壁部５ｘの一方の面から垂直に延設され、内側円筒部５ｅは壁部５ｘの他方の面から外側円筒部５ｄよりも長く垂直に延設されている。変速機ケース２のボス部２ｆに、外側円筒部５ｄが反エンジン側に位置し、内側円筒部５ｅがエンジン側に位置するように、外側円筒部５ｄ及び内側円筒部５ｅが外嵌されている。これにより、共用回転部材５が変速機ケース２のボス部２ｆに回転自在に支持されている。また、外側円筒部５ｄの反エンジン側の端部と変速機ケース２の側壁２ｅとの間にベアリング９が介設されている。これにより、共用回転部材５がベアリング９を介して変速機ケース２の反エンジン側の側壁２ｅで支持されている。なお、ボス部２ｆの内周面に入力軸３の反エンジン側の端部が回転自在に支持されている。
【００３９】
図３に示すように、壁部５ｘは、外側円筒部５ｄが形成された面（反エンジン側の面）において、厚壁部５ａと薄壁部５ｂとを含む。厚壁部５ａは壁部５ｘの内周部から外周部まで径方向に延びる四角柱状に形成され、６つの厚壁部５ａが共用回転部材５の回転中心に対して等間隔（６０°間隔）で放射状に配置されている。薄壁部５ｂは、隣接する厚壁部５ａと厚壁部５ａとの間の扇形の部分であり、図５に示すように、壁部５ｘが反エンジン側からエンジン側に凹陥されることにより形成されている。すなわち、壁部５ｘの反エンジン側の面においては、６つの厚壁部５ａが相互に周方向に並ぶように配置され、６つの厚壁部５ａと６つの薄壁部５ｂとが周方向に交互に配置されている。
【００４０】
図３に示すように、壁部５ｘの外周部に、連結部５ｃが形成されている。連結部５ｃは、共用回転部材５が第１回転部材８１にスプライン係合によって連結される部分である。連結部５ｃは、図４に示すように、壁部５ｘの外周部よりもさらに径方向外側の位置においてエンジン側に突設されている。
【００４１】
図４及び図９に示すように、壁部５ｘのエンジン側に３つのクラッチ３１〜３３が配設され、各クラッチ３１〜３３のシリンダ３１ｉ〜３３ｉ（図５参照）、ピストン３１ｐ〜３３ｐ、作動油圧室３１ａ〜３３ａ、作動油圧通路３１ｃ〜３３ｃ（図３参照）、遠心バランス室３１ｊ〜３３ｊ、遠心バランス室構成部材３１ｋ〜３３ｋ等が共用回転部材５に形成され又は支持されている。
【００４２】
すなわち、図１に示すように、第４ＰＧＳ１４のサンギヤ１４ｓに連結された第１回転部材８１は、反エンジン側に延設された後、図４及び図５に示すように、変速機ケース２のボス部２ｆないし共用回転部材５の内側円筒部５ｅの手前（すなわちエンジン側）で径方向外周側に曲折されて延び（径方向延設部８１ａ）、変速機ケース２の外周壁２ａに近接した位置で再び軸方向の反エンジン側に曲折されて延び（軸方向延設部８１ｂ）、変速機ケース２の反エンジン側の側壁２ｅに近接した位置で終わっている。そして、この第１回転部材８１の上記軸方向延設部８１ｂに共用回転部材５の連結部５ｃがスプライン係合されて、第１回転部材８１に共用回転部材５が連結されている。
【００４３】
ここで、第１回転部材８１の上記径方向延設部８１ａは、軸心近傍から外周側の第１クラッチ３１まで延びるので比較的大径である。また、共用回転部材５は、外周側の第１クラッチ３１から軸心近傍まで延びるので比較的大径であるうえ、３つのクラッチ３１〜３３のピストン３１ｐ〜３３ｐを支持して重量物である。そして、これらの第１回転部材８１の径方向延設部８１ａと共用回転部材５（ピストン３１ｐ〜３３ｐを支持する大径の部分）とが第１回転部材８１の軸方向延設部８１ｂと共用回転部材５の連結部５ｃとを介して相互に連結され一体化されている。そのため、共用回転部材５が変速機ケース２の反エンジン側の側壁２ｅで支持されることにより、第１〜第３クラッチ３１〜３３を取り巻く第１回転部材８１の部分全体が共用回転部材５と共に上記側壁２ｅで支持されることになる。
【００４４】
第１回転部材８１の軸方向延設部８１ｂは、第１クラッチ３１の第１回転部材８１側（エンジン側からのトルクの流れの下流側）の摩擦板３１ｘを内周側で保持するドラム部材である。すなわち、第１回転部材８１の軸方向延設部８１ｂは、第１回転部材８１の径方向延設部８１ａの外周部と共用回転部材５の外周部とを連結する連結部材としての機能と、第１クラッチ３１の第１回転部材８１側の摩擦板３１ｘを保持するドラム部材としての機能とを兼ね備えている。そのため、図５に示すように、第１回転部材８１の軸方向延設部８１ｂの内周面にスプラインが形成され、図９に示すように、第１回転部材８１の軸方向延設部８１ｂに上記摩擦板３１ｘがスプライン係合されて保持されている。これにより、第１クラッチ３１に第１回転部材８１の回転が入力される。なお、上記スプラインは、第１回転部材８１の軸方向延設部８１ｂと共用回転部材５の連結部５ｃとのスプライン係合に兼用されている。
【００４５】
図１に示すように、第３ＰＧＳ１３のリングギヤ１３ｒに連結された第２回転部材８２は、第１回転部材８１の内周側で反エンジン側に延設された後、図４及び図５に示すように、第１回転部材８１よりもわずかに反エンジン側の位置で径方向外周側に曲折されて延び（径方向延設部８２ａ）、第１回転部材８１よりも内周側の位置で再び軸方向の反エンジン側に曲折されて延び（軸方向延設部８２ｂ）、第１回転部材８１よりもエンジン側の位置で終わっている。
【００４６】
第２回転部材８２の軸方向延設部８２ｂは、第１クラッチ３１の第２回転部材８２側（エンジン側からのトルクの流れの上流側）の摩擦板３１ｙを外周側で保持するドラム部材である。そのため、図９に示すように、第２回転部材８２の軸方向延設部８２ｂに上記摩擦板３１ｙがスプライン係合されて保持されている。これにより、第１クラッチ３１に第２回転部材８２の回転が入力される。
【００４７】
図１に示すように、一体回転要素７に連結された第３回転部材８３は、第２回転部材８２の内周側で反エンジン側に延設された後、図４及び図５に示すように、第２回転部材８２よりもわずかに反エンジン側の位置で径方向外周側に曲折されて延び（径方向延設部８３ａ）、第２回転部材８２よりもわずかに内周側の位置で再び軸方向の反エンジン側に曲折されて延び（軸方向延設部８３ｂ）、第２回転部材８２と略同じ位置で終わっている。
【００４８】
第３回転部材８３の軸方向延設部８３ｂは、第２クラッチ３２の第３回転部材８３側（エンジン側からのトルクの流れの上流側）の摩擦板３２ｙを内周側で保持するドラム部材である。そのため、図９に示すように、第３回転部材８３の軸方向延設部８３ｂに上記摩擦板３２ｙがスプライン係合されて保持されている。これにより、第２クラッチ３２に第３回転部材８３の回転が入力される。
【００４９】
図１に示すように、第２ＰＧＳ１２のキャリヤ１２ｃに入力軸３を介して連結された第４回転部材８４は、図４及び図５に示すように、第３回転部材８３よりもわずかに反エンジン側の位置で径方向外周側に延び（径方向延設部８４ａ）、第３回転部材８３よりも内周側の位置で軸方向の反エンジン側に曲折されて延び（軸方向延設部８４ｂ）、第３回転部材８３と略同じ位置で終わっている。
【００５０】
第４回転部材８４の軸方向延設部８４ｂは、第３クラッチ３３の第４回転部材８４側（エンジン側からのトルクの流れの上流側）の摩擦板３３ｙを外周側で保持するドラム部材である。そのため、図４に示すように、第４回転部材８４の軸方向延設部８４ｂに上記摩擦板３３ｙがスプライン係合されて保持されている（図９参照）。これにより、第３クラッチ３３に第４回転部材８４の回転が入力される。
【００５１】
次に、図９に示すように、共用回転部材５の壁部５ｘのエンジン側の面に、第１クラッチ３１の遠心バランス室構成部材３１ｋと、第２クラッチ３２の遠心バランス室構成部材３２ｋとが設けられている。両構成部材３１ｋ，３２ｋとも、径方向の断面形状がＬ字状の環状部材に形成され、壁部５ｘから軸方向エンジン側に延びた後、径方向外周側に延びるように、一端部が壁部５ｘに溶接等により結合されている。第１クラッチ３１の遠心バランス室構成部材３１ｋは、比較的大径であり、壁部５ｘの外周側に配置されている。第２クラッチ３２の遠心バランス室構成部材３２ｋは、比較的小径であり、第１クラッチ３１の遠心バランス室構成部材３１ｋの内周側に配置されている。
【００５２】
第１クラッチ３１の遠心バランス室構成部材３１ｋと、共用回転部材５の壁部５ｘと、共用回転部材５の連結部５ｃとで画成される空間内に、第１クラッチ３１のピストン３１ｐが軸方向に移動可能に収容されている。ピストン３１ｐは、連結部５ｃとの干渉を避けるため、径方向の断面形状がＳ字状の環状部材に形成されている。ピストン３１ｐが上記空間内に収容されることにより、ピストン３１ｐと壁部５ｘとの間に第１クラッチ３１の作動油圧室３１ａが形成され、ピストン３１ｐと遠心バランス室構成部材３１ｋとの間に第１クラッチ３１の遠心バランス室３１ｊが形成される。つまり、作動油圧室３１ａと遠心バランス室３１ｊとはピストン３１ｐを挟んで対向する。
【００５３】
第２クラッチ３２の遠心バランス室構成部材３２ｋと、共用回転部材５の壁部５ｘと、第１クラッチ３１の遠心バランス室構成部材３１ｋとで画成される空間内に、第２クラッチ３２のピストン３２ｐが軸方向に移動可能に収容されている。ピストン３２ｐは、第１クラッチ３１のピストン３１ｐのような制約（連結部５ｃとの干渉を避けるという制約）がないため、径方向の断面形状がｈ字状の環状部材に形成されている。ピストン３２ｐが上記空間内に収容されることにより、ピストン３２ｐと壁部５ｘとの間に第２クラッチ３２の作動油圧室３２ａが形成され、ピストン３２ｐと遠心バランス室構成部材３２ｋとの間に第２クラッチ３２の遠心バランス室３２ｊが形成される。つまり、作動油圧室３２ａと遠心バランス室３２ｊとはピストン３２ｐを挟んで対向する。なお、第２クラッチ３２の作動油圧室３２ａを油密にシールするためのシールプレート３２ｕが壁部５ｘに溶接等により結合されている。
【００５４】
第２クラッチ３２の遠心バランス室構成部材３２ｋのエンジン側の面に共通部材８が一体に結合されている。この共通部材８は、第２クラッチ３２の第１回転部材８１側（エンジン側からのトルクの流れの下流側）の摩擦板３２ｘを保持するドラム部材と、第３クラッチ３３の第１回転部材８１側（エンジン側からのトルクの流れの下流側）の摩擦板３３ｘを保持するドラム部材とが一体化されたものである。そのため、図８に示すように、共通部材８の外周面と内周面とにスプラインが交互に形成され、共通部材８の外周側に第２クラッチ３２の摩擦板３２ｘがスプライン係合されて保持されると共に、共通部材８の内周側に第３クラッチ３３の摩擦板３３ｘがスプライン係合されて保持されている。これにより、第２クラッチ３２及び第３クラッチ３３にそれぞれ第１回転部材８１の回転が入力される。なお、図３に、共通部材８の配置位置をそのピッチ円（鎖線）で示した。
【００５５】
図４に示すように、共用回転部材５の内側円筒部５ｅに、第３クラッチ３３の遠心バランス室構成部材３３ｋが設けられている。この構成部材３３ｋは、径方向の断面形状がクランク状の環状部材に形成され、内側円筒部５ｅから径方向外周側に延びるように、一端部が内側円筒部５ｅに結合されている。
【００５６】
第３クラッチ３３の遠心バランス室構成部材３３ｋと、共用回転部材５の壁部５ｘと、共用回転部材５の内側円筒部５ｅと、第２クラッチ３２の遠心バランス室構成部材３２ｋ（図９参照）とで画成される空間内に、第３クラッチ３３のピストン３３ｐが軸方向に移動可能に収容されている。ピストン３３ｐは、第１クラッチ３１のピストン３１ｐのような連結部５ｃとの干渉を避けるという制約がないため、径方向の断面形状がＴ字状の環状部材に形成されている。ピストン３３ｐが上記空間内に収容されることにより、ピストン３３ｐと壁部５ｘと内側円筒部５ｅとの間に第３クラッチ３３の作動油圧室３３ａが形成され、ピストン３３ｐと遠心バランス室構成部材３３ｋと内側円筒部５ｅとの間に第３クラッチ３３の遠心バランス室３３ｊが形成される。つまり、作動油圧室３３ａと遠心バランス室３３ｊとはピストン３３ｐを挟んで対向する。なお、第３クラッチ３３の作動油圧室３３ａを油密にシールするためのシールプレート３３ｕが壁部５ｘに溶接等により結合されている（図９参照）。
【００５７】
図４及び図９に示すように、各クラッチ３１〜３３の作動油圧室３１ａ〜３３ａ及び遠心バランス室３１ｊ〜３３ｊは、ピストン３１ｐ〜３３ｐ、遠心バランス室構成部材３１ｋ〜３３ｋ、及びシールプレート３２ｕ，３３ｕに装着されたリップシールやＯリングやシールリング等で油密にシールされている。
【００５８】
以上のような構成により、本実施形態では、図４及び図９に示すように、第１〜第３クラッチ３１〜３３のピストン３１ｐ〜３３ｐは、軸方向視で相互に重複せずかつ軸心と直交する同一平面上で径方向に並ぶように配置されている（図４の矢印Ｂ参照）。
【００５９】
また、図４及び図９に示すように、第１〜第３クラッチ３１〜３３の作動油圧室３１ａ〜３３ａは、軸方向視で相互に重複せずかつ軸心と直交する同一平面上で径方向に並ぶように配置されている。
【００６０】
また、図４及び図９に示すように、第１〜第３クラッチ３１〜３３の遠心バランス室３１ｊ〜３３ｊ及び遠心バランス室構成部材３１ｋ〜３３ｋは、軸方向視で相互に重複せずかつ軸心と直交する同一平面上で径方向に並ぶように配置されている（図５の矢印Ｅ参照）。
【００６１】
また、図４及び図９に示すように、第１〜第３クラッチ３１〜３３の摩擦板３１ｘ，３１ｙ〜３３ｘ，３３ｙは、軸方向視で相互に重複せずかつ軸心と直交する同一平面上で径方向に並ぶように配置されている（図５の矢印Ｆ参照）。
【００６２】
なお、図９において、符号３１ｚ，３２ｚ，３３ｚは、リテーナプレートを示している。第２クラッチ３２のリテーナプレート３２ｚ及び第３クラッチ３３のリテーナプレート３３ｚは、単一のスナップリングにより共通部材８に組み付けられている。
【００６３】
次に、第１クラッチ３１を例に取り、第１〜第３クラッチ３１〜３３の作動油圧室３１ａ〜３３ａに油圧を供給するための油路について説明する。
【００６４】
図３及び図４に示すように、共用回転部材５の壁部５ｘの厚壁部５ａの内部に、厚壁部５ａと同様、径方向に延びる作動油圧通路３１ｃが形成されている。作動油圧通路３１ｃの外周側に作動油圧室３１ａに通じる開口３１ｂが設けられている。図４及び図７に示すように、作動油圧通路３１ｃの内周端は接続通路３１ｄに通じている。接続通路３１ｄは共用回転部材５の内側円筒部５ｅ及び外側円筒部５ｄに亘って形成され、軸方向に延びている。接続通路３１ｄの軸方向の所定位置に内側円筒部５ｅの内周面に開口する連通路３１ｅが設けられている。
【００６５】
上記連通路３１ｅと同じ軸方向の位置において、変速機ケース２のボス部２ｆの外周面に周方向に延びる凹溝３１ｆ（図６参照）が形成されている。凹溝３１ｆの周方向の所定位置に径方向内周側に延びる導入通路３１ｇが設けられている。導入通路３１ｇの内周端はボス部通路３１ｈに通じている。ボス部通路３１ｈはボス部２ｆの外周面と内周面との間の周壁部に形成され、軸方向に延びている。
【００６６】
以上のような構成により、図外の油圧回路からボス部通路３１ｈに油圧が供給されると、その油圧は、変速機ケース２側の導入通路３１ｇ及び凹溝３１ｆ（図６参照）と、共用回転部材５側の連通路３１ｅ、接続通路３１ｄ、作動油圧通路３１ｃ、及び開口３１ｂとを経由して、作動油圧室３１ａに供給される。この油圧の供給は凹溝３１ｆの存在により共用回転部材５の回転中も途切れることがない。そして、共用回転部材５側の連通路３１ｅ、接続通路３１ｄ、作動油圧通路３１ｃ、及び開口３１ｂは、図３及び図７に示すように、共用回転部材５の回転中心に対して点対称に（１８０°間隔で）２組設けられている。
【００６７】
第２クラッチ３２及び第３クラッチ３３も同様である。すなわち、第２クラッチ３２の作動油圧通路３２ｃは、図３において第１クラッチ３１の作動油圧通路３１ｃの６０°右の厚壁部５ａの内部に形成され、第３クラッチ３３の作動油圧通路３３ｃは、図３において第２クラッチ３２の作動油圧通路３２ｃの６０°右の厚壁部５ａの内部に形成されている。また、図３及び図４に示すように、第２クラッチ３２の開口３２ｂは、第２クラッチ３２の作動油圧室３２ａに通じるように第１クラッチ３１の開口３１ｂよりも内周側に位置し、第３クラッチ３３の開口３３ｂは、第３クラッチ３３の作動油圧室３３ａに通じるように第２クラッチ３２の開口３２ｂよりも内周側に位置している。
【００６８】
変速機ケース２側においては、第２クラッチ３２のボス部通路３２ｈは、図７において第１クラッチ３１のボス部通路３１ｈの９０°右に形成され、第３クラッチ３３のボス部通路３３ｈは、図７において第２クラッチ３２のボス部通路３２ｈの９０°右に形成されている。また、図４及び図６に示すように、第２クラッチ３２の導入通路３２ｇ及び凹溝３２ｆは、第１クラッチ３１の導入通路３１ｇ及び凹溝３１ｆよりも軸方向の反エンジン側に位置し、第３クラッチ３３の導入通路３３ｇ及び凹溝３３ｆは、第２クラッチ３２の導入通路３２ｇ及び凹溝３２ｆよりも軸方向の反エンジン側に位置している。そして、上記凹溝３２ｆ，３３ｆと同じ軸方向の位置に、共用回転部材５側の接続通路３２ｄ，３３ｄ（図７参照）に通じる第２クラッチ３２の連通路３２ｅ及び第３クラッチ３３の連通路３３ｅがそれぞれ設けられている。
【００６９】
以上のような構成により、図外の油圧回路からボス部通路３２ｈ，３３ｈに油圧が供給されると、その油圧は、導入通路３２ｇ，３３ｇ、凹溝３２ｆ，３３ｆ、連通路３２ｅ，３３ｅ、接続通路３２ｄ，３３ｄ、作動油圧通路３２ｃ，３３ｃ、及び開口３２ｂ，３３ｂを経由して、作動油圧室３２ａ，３３ａに共用回転部材５の回転中も途切れることなく供給される。
【００７０】
また、以上のような構成により、本実施形態では、図３及び図４に示すように、第１〜第３クラッチ３１〜３３の作動油圧室３１ａ〜３３ａに通じる作動油圧通路３１ｃ〜３３ｃは、共用回転部材５の壁部５ｘ、より詳しくは厚壁部５ａに相互に周方向に並ぶように設けられている（図４の矢印Ｃ参照）。
【００７１】
次に、第１〜第３クラッチ３１〜３３の遠心バランス室３１ｊ〜３３ｊに作動油を供給するための油路について説明する。
【００７２】
図７において、第３クラッチ３３のボス部通路３３ｈの９０°右に遠心バランス室用のボス部通路３４ｈが形成されている。図６に示すように、第１クラッチ３１の凹溝３１ｆよりも軸方向のエンジン側に遠心バランス室用の凹溝３４ｆが位置し、図５及び図７に示すように、上記ボス部通路３４ｈと上記凹溝３４ｆとを遠心バランス室用の導入通路３４ｇが連通している。
【００７３】
図５に示すように、上記凹溝３４ｆと同じ軸方向の位置において、共用回転部材５の内側円筒部５ｅに連通路３４ｍが形成されている。この連通路３４ｍは、共用回転部材５の内側円筒部５ｅを内周面側から外周面側に貫通して第３クラッチ３３の遠心バランス室３３ｊに開口する。この連通路３４ｍは、図７に示すように、共用回転部材５の回転中心に対して点対称に（１８０°間隔で）２つ設けられている。
【００７４】
図９に示すように、第３クラッチ３３のピストン３３ｐの上部に、第３クラッチ３３の遠心バランス室３３ｊに開口する連通路３４ｎが形成され、第２クラッチ３２の遠心バランス室構成部材３２ｋの下部に、上記連通路３４ｎに通じ、かつ第２クラッチ３２の遠心バランス室３２ｊに開口する連通路３４ｏが形成されている。同様に、第２クラッチ３２のピストン３２ｐの上部に、第２クラッチ３２の遠心バランス室３２ｊに開口する連通路３４ｔが形成され、第１クラッチ３１の遠心バランス室構成部材３１ｋの下部に、上記連通路３４ｔに通じ、かつ第１クラッチ３１の遠心バランス室３１ｊに開口する連通路３４ｖが形成されている。
【００７５】
以上のような構成により、図外の作動油供給源からボス部通路３４ｈ（図５参照）に作動油が供給されると、その作動油は、共用回転部材５の回転による遠心力で、導入通路３４ｇ、凹溝３４ｆ（図６参照）、及び遠心バランス室用連通路３４ｍ，３４ｎ，３４ｏ，３４ｔ，３４ｖを経由して、第１〜第３クラッチ３１〜３３の遠心バランス室３１ｊ〜３３ｊに供給される。
【００７６】
なお、図６に示すように、変速機ケース２のボス部２ｆの外周面には、以上の４つの凹溝３１ｆ〜３４ｆをそれぞれ油密にシールするための５つのシールリングが装着されている。
【００７７】
次に、第１〜第３クラッチ３１〜３３のピストン３１ｐ〜３３ｐを解放側に付勢するリターンスプリングについて説明する。
【００７８】
まず、第１クラッチ３１については、図５及び図９に示すように、皿バネ４０がリターンスプリングとして用いられている。この皿バネ４０は共用回転部材５の壁部５ｘの薄壁部５ｂに配設されている。より詳しくは、薄壁部５ｂの反エンジン側の面の外周側において１つの薄壁部５ｂの周方向の中央部に配設されている。皿バネ４０は、図３に示すように、平坦部４１と、平坦部４１の両端から相互に同じ方向に延びる一対の傾斜部４２とを有し、全体形状がコ字状に形成されている。皿バネ４０は、図９に示すように、平坦部４１が外周側に位置して薄壁部５ｂから離間し、傾斜部４２が内周側に位置してその先端が薄壁部５ｂに形成された隆起部５ｈに係止した状態で、厚壁部５ａ（図５参照）よりも反エンジン側に突出しないように配設されている。
【００７９】
図９に示すように、第１クラッチ３１のピストン３１ｐの反エンジン側の端部に反エンジン側に延びるピン形状の延設部３１ｑが設けられている。この延設部３１ｑは薄壁部５ｂに形成された貫通孔５ｆを挿通して薄壁部５ｂの反エンジン側に突出し、さらに皿バネ４０の平坦部４１を貫通している。そして、延設部３１ｑの反エンジン側の端部がカシメられて拡径されることにより（カシメ部３１ｒ）、延設部３１ｑの反エンジン側の端部が平坦部４１に係止されている。
【００８０】
以上のような構成により、皿バネ４０は、延設部３１ｑを介して第１クラッチ３１のピストン３１ｐを常に反エンジン側（第１クラッチ３１の解放側）に付勢するリターンスプリングとして機能する。そして、皿バネ４０は、図３に示すように、共用回転部材５の回転中心に対して等間隔（１２０°間隔）で３つ設けられている。
【００８１】
なお、図９に示すように、薄壁部５ｂの貫通孔５ｆを挿通する延設部３１ｑの部分には、作動油圧室３１ａの油圧の漏れを防ぐためのシール部材３１ｓが巻着されている。また、図９には、作動油圧室３１ａに油圧が供給されてピストン３１ｐが締結側（エンジン側）に移動したときの皿バネ４０が撓んだ状態を仮想線で示してある。
【００８２】
第２クラッチ３２も同様である。すなわち、図６及び図１０に示すように、第２クラッチ３２においても、皿バネ５０がリターンスプリングとして用いられている。この皿バネ５０は、図３に示すように、第１クラッチ３１の皿バネ４０よりも内周側に配設されている。皿バネ５０は、図１０に示すように、平坦部５１が外周側に位置して薄壁部５ｂから離間し、傾斜部５２が内周側に位置してその先端が薄壁部５ｂに形成された隆起部５ｉに係止した状態で、厚壁部５ａ（図６参照）よりも反エンジン側に突出しないように配設されている。
【００８３】
図１０に示すように、第２クラッチ３２のピストン３２ｐの反エンジン側の端部に反エンジン側に延びるピン形状の延設部３２ｑが設けられている。この延設部３２ｑは薄壁部５ｂに形成された貫通孔５ｇを挿通して薄壁部５ｂの反エンジン側に突出し、さらに皿バネ５０の平坦部５１を貫通している。そして、延設部３２ｑの反エンジン側の端部がカシメられて拡径されることにより（カシメ部３２ｒ）、延設部３２ｑの反エンジン側の端部が平坦部５１に係止されている。
【００８４】
以上のような構成により、皿バネ５０は、延設部３２ｑを介して第２クラッチ３２のピストン３２ｐ（図９参照）を常に反エンジン側（第２クラッチ３２の解放側）に付勢するリターンスプリングとして機能する。そして、皿バネ５０は、図３に示すように、共用回転部材５の回転中心に対して等間隔（１２０°間隔）で３つ設けられている。
【００８５】
なお、図１０には、作動油圧室３２ａに油圧が供給されてピストン３２ｐが締結側（エンジン側）に移動したときの皿バネ５０が撓んだ状態を仮想線で示してある。
【００８６】
以上のような構成により、本実施形態では、図５、図６、図９及び図１０に示すように、第１・第２クラッチ３１，３２のピストン３１ｐ，３２ｐを解放側に付勢する皿バネ４０，５０が共用回転部材５の壁部５ｘの薄壁部５ｂに厚壁部５ａの内部に形成された作動油圧通路３１ｃ〜３３ｃと軸方向の同じ位置で作動油圧通路３１ｃ〜３３ｃと周方向に並ぶように配設されている（図５及び図６の矢印Ｄ参照）。
【００８７】
また、以上のような構成により、本実施形態では、図３に示すように、皿バネ４０，５０と作動油圧通路３１ｃ〜３３ｃとが周方向に交互に配設されている。
【００８８】
また、以上のような構成により、本実施形態では、一部繰り返しになるが、図３に示すように、共用回転部材５の壁部５ｘの厚壁部５ａ、薄壁部５ｂ、厚壁部５ａの内部に形成された作動油圧通路３１ｃ〜３３ｃ、薄壁部５ｂに配設された皿バネ４０，５０が共用回転部材５の回転中心に対して等間隔で配置され、また、種々交互に配置されている。このことは、第１クラッチ３１の作動油圧通路３１ｃ、第２クラッチ３２の作動油圧通路３２ｃ、第３クラッチ３３の作動油圧通路３３ｃ、第１クラッチ３１の皿バネ４０、第２クラッチ３２の皿バネ４０についても同様である。
【００８９】
第３クラッチ３３については、図４に示すように、コイルスプリング６０がリターンスプリングとして用いられている。図４から明らかなように、第３クラッチ３３には、径方向において摩擦板３３ｘ，３３ｙ（図９参照）と内側円筒部５ｅとの間に軸方向に長いデッドスペースがある。そして、このデッドスペースに合わせて第３クラッチ３３の遠心バランス室構成部材３３ｋが断面クランク状に形成され、ピストン３３ｐと遠心バランス室構成部材３３ｋとの間の軸方向に長い遠心バランス室３３ｊに軸方向の占有スペースが大きいコイルスプリング６０が圧縮された状態で配設されている。このコイルスプリング６０は１２個が共用回転部材５の回転中心に対して等間隔（３０°間隔）で配置されている。
【００９０】
（３）作用
以上説明したように、本実施形態に係る自動変速機１は、図４に示すように、第４ＰＧＳ１４のサンギヤ１４ｓに連結された第１回転部材８１と、第３ＰＧＳ１３のリングギヤ１３ｒに連結された第２回転部材８２と、第３ＰＧＳ１３のサンギヤ１３ｓ及び第２ＰＧＳ１２のリングギヤ１２ｒ（一体回転要素７）に連結された第３回転部材８３と、第２ＰＧＳ１２のキャリヤ１２ｃに入力軸３を介して連結された第４回転部材８４と、上記第１回転部材８１と第２回転部材８２との接続状態を切り換える第１クラッチ３１と、上記第１回転部材８１と第３回転部材８３との接続状態を切り換える第２クラッチ３２と、上記第１回転部材８１と第４回転部材８４との接続状態を切り換える第３クラッチ３３とを備える。
【００９１】
第１〜第３クラッチ３１〜３３は、自動変速機１の反エンジン側端部において、第１クラッチ３１の内周側に第２クラッチ３２が位置し、第２クラッチ３２の内周側に第３クラッチ３３が位置するように、同一軸心上に相互に径方向に重ねて配置されている。
【００９２】
自動変速機１は、さらに、上記第１〜第３クラッチ３１〜３３よりも軸方向の反エンジン側に配置された共用回転部材５を有する。共用回転部材５は、上記第１〜第３クラッチ３１〜３３のピストン３１ｐ〜３３ｐを支持し、変速機ケース２の軸方向の反エンジン側の側壁２ｅで支持される。
【００９３】
上記第１回転部材８１は、図５に示すように、上記第１〜第３クラッチ３１〜３３の軸方向のエンジン側で径方向に延びる径方向延設部８１ａと、上記第１クラッチ３１の外周側で軸方向に延びる軸方向延設部８１ｂとを有する。軸方向延設部８１ｂは、上記径方向延設部８１ａの外周部と上記共用回転部材５の外周部とを連結し、かつ上記第１クラッチ３１の第１回転部材８１側の摩擦板３１ｘを内周側で保持する（図９参照）。そして、上記共用回転部材５には、図９に示すように、上記第２クラッチ３２の第１回転部材８１側の摩擦板３２ｘを外周側で保持すると共に上記第３クラッチ３３の第１回転部材８１側の摩擦板３３ｘを内周側で保持する共通部材８が設けられている。
【００９４】
この構成によれば、第１〜第３クラッチ３１〜３３よりも軸方向の反エンジン側に配置された共用回転部材５に第１〜第３クラッチ３１〜３３のピストン３１ｐ〜３３ｐを支持させ、上記共用回転部材５を変速機ケース２の既存の側壁２ｅで支持するので、例えば上記共用回転部材５を支持するために別途中間壁を変速機ケース２に形成したりせずに済み、変速機１の軸方向寸法の拡大が回避される。
【００９５】
その上で、３つのクラッチ３１〜３３のうちの内周側の２つのクラッチ、すなわち、第２クラッチ３２の第１回転部材８１側の摩擦板３２ｘを保持するドラム部材と第３クラッチ３３の第１回転部材８１側の摩擦板３３ｘを保持するドラム部材とを単一の共通部材８に一体化しているので、各クラッチ３２，３３のドラム部材をそれぞれ別体とする場合と比べて変速機１の径方向寸法が短縮する。さらに、第１回転部材８１の径方向延設部８１ａと上記共用回転部材５とを連結する第１回転部材８１の軸方向延設部８１ｂが第１クラッチ３１の第１回転部材８１側の摩擦板３１ｘを保持するドラム部材を兼ねるので、これによっても変速機１の径方向寸法の短縮化が図られる。
【００９６】
この本実施形態の作用は、図１１（ａ）に矢印で指示するように、３つのクラッチ３１〜３３を３段重ねとした場合に径方向に必要とされる部材間のクリアランスが１か所で済むという事象で現れる。すなわち、同図に示すように、径方向に重ねて配置される第２クラッチ３２の第１回転部材８１側の摩擦板３２ｘを保持するドラム部材と第３クラッチ３３の第１回転部材８１側の摩擦板３３ｘを保持するドラム部材とを融合させて単一の共通部材８とし、第１回転部材８１の軸方向延設部８１ｂと第１クラッチ３１の第１回転部材８１側の摩擦板３１ｘを保持するドラム部材とを融合させて単一の軸方向延設部８１ｂとした結果、３段重ねの第１〜第３クラッチ３１〜３３間で径方向に必要とされるクリアランスは、第１クラッチ３１の第２回転部材８２側の摩擦板３１ｙを保持するドラム部材（第２回転部材８２の軸方向延設部８２ｂ）と、第２クラッチ３２の第３回転部材８３側の摩擦板３２ｙを保持するドラム部材（第３回転部材８３の軸方向延設部８３ｂ）との間の１か所だけとなる。このことは自動変速機１の径方向寸法の短縮化に有利に働く（実施例）。
【００９７】
これに対し、図１１（ｂ）に示すように、仮に例えば３つのクラッチ３１〜３３のうちの外周側の２つのクラッチ、すなわち、第１クラッチ３１の第１回転部材８１側の摩擦板３１ｘを保持するドラム部材と第２クラッチ３２の第１回転部材８１側の摩擦板３２ｘを保持するドラム部材とを共通部材８に一体化したときは、残りの第３クラッチ３３の第１回転部材８１側の摩擦板３３ｘを保持するドラム部材Ｘが別途単独で必要となる。その結果、同図に矢印で指示するように、３段重ねの第１〜第３クラッチ３１〜３３間で径方向に必要とされるクリアランスは、第１回転部材８１の軸方向延設部８１ｂと第１クラッチ３１の第２回転部材８２側の摩擦板３１ｙを保持するドラム部材（第２回転部材８２の軸方向延設部８２ｂ）との間、及び第２クラッチ３２の第３回転部材８３側の摩擦板３２ｙを保持するドラム部材（第３回転部材８３の軸方向延設部８３ｂ）と上記ドラム部材Ｘとの間の２か所に増える。このことは自動変速機１の径方向寸法の短縮化に不利に働く（比較例）。
【００９８】
以上により、３つのクラッチ３１〜３３を自動変速機１の一端部で径方向に重ねて配置することにより軸方向にコンパクトにレイアウトして変速機１の軸方向寸法の大型化を回避しつつ多段化を可能とし、さらに、３つのクラッチを相互にできるだけ径方向に近づけて３段に重ねて配置することにより軸方向に加え径方向にもコンパクトにレイアウトして変速機１の径方向寸法の大型化も抑制された自動変速機１が提供される。
【００９９】
本実施形態では、上記第１〜第３クラッチ３１〜３３のピストン３１ｐ〜３３ｐが軸方向視で相互に重複せずかつ軸心と直交する同一平面上で径方向に並ぶように配置されている（図４の矢印Ｂ参照）。
【０１００】
この構成によれば、第１〜第３クラッチ３１〜３３のピストン３１ｐ〜３３ｐが相互に径方向に離間しかつ軸心と直交する同一平面上で径方向に並ぶように配置されているので、上記ピストン３１ｐ〜３３ｐは軸方向に並べて配置された状態とならない。したがって、第１〜第３クラッチ３１〜３３をピストン３１ｐ〜３３ｐを含めて軸方向にコンパクトにレイアウトできる。
【０１０１】
本実施形態では、上記第１〜第３クラッチ３１〜３３のピストン３１ｐ〜３３ｐを挟んで作動油圧室３１ａ〜３３ａと対向する遠心バランス室３１ｊ〜３３ｊが軸方向視で相互に重複せずかつ軸心と直交する同一平面上で径方向に並ぶように配置されている（図５の矢印Ｅ参照）。
【０１０２】
この構成によれば、第１〜第３クラッチ３１〜３３の遠心バランス室３１ｊ〜３３ｊが相互に径方向に離間しかつ軸心と直交する同一平面上で径方向に並ぶように配置されているので、上記遠心バランス室３１ｊ〜３３ｊは軸方向に並べて配置された状態とならない。したがって、第１〜第３クラッチ３１〜３３を遠心バランス室３１ｊ〜３３ｊを含めて軸方向にコンパクトにレイアウトできる。
【０１０３】
本実施形態では、上記第１〜第３クラッチ３１〜３３の摩擦板３１ｘ，３１ｙ〜３３ｘ，３３ｙが軸方向視で相互に重複せずかつ軸心と直交する同一平面上で径方向に並ぶように配置されている（図５の矢印Ｆ参照）。
【０１０４】
この構成によれば、第１〜第３クラッチ３１〜３３の摩擦板３１ｘ，３１ｙ〜３３ｘ，３３ｙが相互に径方向に離間しかつ軸心と直交する同一平面上で径方向に並ぶように配置されているので、上記摩擦板３１ｘ，３１ｙ〜３３ｘ，３３ｙは軸方向に並べて配置された状態とならない。したがって、第１〜第３クラッチ３１〜３３を摩擦板３１ｘ，３１ｙ〜３３ｘ，３３ｙを含めて軸方向にコンパクトにレイアウトできる。
【０１０５】
（４）変形例
上記実施形態では、例えば図１において、入力軸３が右側に延び、右側がエンジン側であったが、これに限らず、入力軸３が左側に延び、左側がエンジン側であってもよい。
【０１０６】
上記実施形態では、第１回転部材８１がエンジン側からのトルクの流れに関して下流側の回転部材、第２〜第４回転部材８２〜８４が上流側の回転部材であったが、これに限らず、例えば第１回転部材８１が上流側の回転部材、第２〜第４回転部材８２〜８４が下流側の回転部材であってもよい。
【０１０７】
上記実施形態では、第１・第２クラッチ３１，３２のリターンスプリングとして皿バネを用いたが、これに限らず、コイルスプリングを用いてもよい。また、第３クラッチ３３のリターンスプリングとしてコイルスプリングを用いたが、これに限らず、皿バネを用いてもよい。
【０１０８】
（５）参考例
上記実施形態では、共用回転部材５を第１〜第３クラッチ３１〜３３よりも軸方向の反エンジン側に配置したが、これに代えて、共用回転部材５を第１〜第３クラッチ３１〜３３よりも軸方向のエンジン側に配置した場合のレイアウトの１例を図１２に示す。図１との主な相違点は次の通りである。
【０１０９】
・ピストン３１ｐ〜３３ｐが共用回転部材５の反エンジン側に支持される。
【０１１０】
・第３中間壁２ｄが内周側に延設され、この第３中間壁２ｄで共用回転部材５が支持される。
【０１１１】
・第２〜第４回転部材８２〜８４がピストン３１ｐ〜３３ｐの反エンジン側で径方向外周側に延びる。
【０１１２】
・第１回転部材８１と第２回転部材８２との接続状態を切り換える第１クラッチ３１が最も内周側に位置し、第１回転部材８１と第３回転部材８３との接続状態を切り換える第２クラッチ３２が第１クラッチ３１の外周側に位置し、第１回転部材８１と第４回転部材８４との接続状態を切り換える第３クラッチ３３が最も外周側に位置する。
【０１１３】
この場合、図１３（ａ）に示すように、内周側の２つのクラッチ、すなわち、第２クラッチ３２の第１回転部材８１側の摩擦板３２ｘを保持するドラム部材と第１クラッチ３１の第１回転部材８１側の摩擦板３１ｘを保持するドラム部材とを共通部材８に一体化した場合も（第１例）、また、図１３（ｂ）に示すように、外周側の２つのクラッチ、すなわち、第３クラッチ３３の第１回転部材８１側の摩擦板３３ｘを保持するドラム部材と第２クラッチ３２の第１回転部材８１側の摩擦板３２ｘを保持するドラム部材とを共通部材８に一体化した場合も（第２例）、いずれも、同図に矢印で指示するように、３段重ねの第１〜第３クラッチ３１〜３３間で径方向に必要とされるクリアランスは１か所となり、この点、自動変速機１の径方向寸法の短縮化に優劣はない。しかし、図１２に示すレイアウトは、共用回転部材５を支持するために第３中間壁２ｄが内周側まで延設されており、この第３中間壁２ｄが変速機１の軸長短縮を阻害するため、この点、図１に示すレイアウトと比べて自動変速機１の軸方向寸法の短縮化に劣るものである。
【符号の説明】
【０１１４】
１              自動変速機
２              変速機ケース
２ｅ            側壁
３              入力軸
５              共用回転部材
５ｃ            連結部
５ｘ            壁部
７              一体回転要素（所定の回転要素）
８              共通部材（ドラム部材）
９              ベアリング
１２            第２プラネタリギヤセット（他のプラネタリギヤセット）
１３            第３プラネタリギヤセット（他のプラネタリギヤセット）
１４            第４プラネタリギヤセット（所定のプラネタリギヤセット）
１２ｃ          キャリヤ（所定の回転要素）
１２ｒ，１３ｒ  リングギヤ（所定の回転要素）
１３ｓ，１４ｓ  サンギヤ（所定の回転要素）
３１〜３３      第１〜第３クラッチ
３１ａ〜３３ａ  作動油圧室
３１ｊ〜３３ｊ  遠心バランス室
３１ｐ〜３３ｐ  ピストン
３１ｘ〜３３ｘ  第１回転部材側の摩擦板
３１ｙ〜３３ｙ  第２〜第４回転部材側の摩擦板
８１〜８４      第１〜第４回転部材
８１ａ〜８４ａ  径方向延設部
８１ｂ〜８４ｂ  軸方向延設部（ドラム部材）
【図１】
2015214989.tif 000003
【図２】
2015214989.tif 000004
【図３】
2015214989.tif 000005
【図４】
2015214989.tif 000006
【図５】
2015214989.tif 000007
【図６】
2015214989.tif 000008
【図７】
2015214989.tif 000009
【図８】
2015214989.tif 000010
【図９】
2015214989.tif 000011
【図１０】
2015214989.tif 000012
【図１１】
2015214989.tif 000013
【図１２】
2015214989.tif 000014
【図１３】
2015214989.tif 000015